【事件の表示】
　特願２００９−１９７０７０「入力装置」拒絶査定不服審判事件〔平成２３年　３月１０日出願公開、特開２０１１−　４８６６９〕について、次のとおり審決する。
【結　論】
　本件審判の請求は、成り立たない。
【理　由】
第１．手続の経緯　
　本願は、平成２１年８月２７日の出願であって、平成２２年７月２０日付で拒絶査定がなされ、これに対し平成２２年１０月２７日に拒絶査定不服審判が請求されるとともに、同時に手続補正がされたものである。　
　
第２．平成２２年１０月２７日付けの手続補正についての補正却下の決定　
［補正却下の決定の結論］ 
　平成２２年１０月２７日付けの手続補正を却下する。　 
　
［理由］　
１．補正内容　
　平成２２年１０月２７日付けの手続補正（以下、「本件補正」という。）は、平成２１年８月２７日出願時の特許請求の範囲の請求項１に記載された発明　
「【請求項１】
　入力を受け付けるタッチセンサと、
　前記タッチセンサのタッチ面に対する押圧荷重を検出する荷重検出部と、
　前記タッチ面を振動させる触感呈示部と、
　前記荷重検出部により検出される押圧荷重が、所定の荷重基準を満たす状態で所定期間継続した際に、前記タッチ面を押圧している押圧対象に対して触感を呈示するように前記触感呈示部を制御する制御部と、
　を備えることを特徴とする入力装置。」を、 
　
「　【請求項１】
　入力を受け付けるタッチセンサと、
　前記タッチセンサのタッチ面に対する押圧荷重を検出する荷重検出部と、
　前記タッチ面を振動させる触感呈示部と、
　前記荷重検出部により
前記押圧荷重を検出した後、該
してから
経過
　を備えることを特徴とする入力装置。」に補正するものである。（下線は請求人が付与。） 
 　
２．補正の目的　
 　上記補正は、請求項１に記載した発明を特定するために必要な事項である「制御部」について、押圧対象に対して触感を呈示するのが、「荷重検出部により検出される押圧荷重が、所定の荷重基準を満たす状態で所定期間継続した際」から「荷重検出部により押圧荷重を検出した後、該検出される押圧荷重が所定の荷重基準を満たしてから所定期間経過した際」に限定するものであって、特許請求の範囲の減縮を目的とするものに該当する。 
　そこで、本件補正後の前記請求項１に記載された発明（以下、「補正発明」という。）が特許出願の際独立して特許を受けることができるものであるかについて以下に検討する。 
 　 
３．引用例の記載事項　
（１）原査定の拒絶の理由に引用された特開２００５−３３２０６３号公報（以下、「引用例１」という。）には、図面と共に、以下の事項が記載されている。 
 　
ａ．「【発明の詳細な説明】
【技術分野】
【０００１】
  本発明は、表示画面上の入力検出面を摺動接触操作して情報を入力するデジタルカメラや、情報処理装置、携帯電話機、情報携帯端末装置等に適用して好適な触覚機能付き入力装置、情報入力方法及び電子機器に関する。詳しくは、表示画面上の入力検出面における操作体の押下操作に対して触覚を与える場合に、その入力検出面における操作体の押下位置の加圧力に対応した振動パターンに基づいて当該入力検出面を振動する振動手段を備え、操作体となる操作者の指等による押下操作に対応した振動パターン（振幅と周波数と振動回数）により複数種類の振動を発生できるようにしたものである。」
　
ｂ．「【００１５】
  上述した課題は、表示画面上の入力検出面における操作体の押下操作に対して触覚を与える触覚機能付き入力装置であって、入力情報を表示する表示手段と、この表示手段上に入力検出面を有して、当該入力検出面における操作体の押下位置の加圧力を検出すると共に、当該押下位置に表示された入力情報を入力する入力検出手段と、この入力検出手段によって検出された操作体の加圧力に対応する振動パターンに基づいて入力検出面を振動する振動手段とを備えることを特徴とする触覚機能付き入力装置によって解決される。」
　
ｃ．「【発明の効果】
【００２２】
  本発明に係る触覚機能付き入力装置によれば、表示手段上の入力検出面における操作体の押下操作に対して触覚を与える場合に、その入力検出面における操作体の押下位置の加圧力に対応した振動パターンに基づいて当該入力検出面を振動する振動手段を備えるものである。　
　
ｄ．「【００２６】
  本発明に係る電子機器によれば、本発明に係る触覚機能付き入力装置が応用されるので、表示画面上の入力検出面を摺動するように接触操作して情報を入力する場合に、操作体となる操作者の指等による押下操作に対応した振動パターンにより複数種類の振動を発生させることができる。これにより、携帯電話機やデジタルカメラ等に応用した場合に、
表示手段上の入力検出面における操作体の押下操作に対応した確実な触覚を取得できるようになる。
　
ｅ．「【実施例１】
【００２８】
  図１は、本発明に係る第１の実施例としての触覚入力機能付き携帯電話機１００の構成例を示す斜視図である。
  この実施例では、表示手段上の入力検出面において、操作体が押下した位置の加圧力に対応した振動パターンに基づいて当該入力検出面を振動する振動手段を備え、その入力検出面における操作体の押下操作に対して触覚を付与できるようにすると共に、表示手段に表示されたボタンアイコン等の入力を確定できるようにしたものである。
【００２９】
  図１に示す
携帯電話機１００は電子機器の一例であり、表示画面上の入力検出面を摺動接触操作される触覚機能付きの入力装置９０を有している。
【００３０】
  下部筐体１０には、複数の押しボタンスイッチ１２から成る操作パネル１８が設けられる。押しボタンスイッチ１２は、「０」〜「９」数字キー、「＊」や「＃」等の記号キー、「オン」や「オフ」等のフックボタン、メニューキー等から構成される。下部筐体１０において、操作パネル面の下方には、通話用のマイクロフォン１３が取り付けられ、送話器として機能するようになされる。
【００３１】
  また、下部筐体１０の下端部には、モジュール型のアンテナ１６が取り付けられ、その上端内部側面には、大音響用のスピーカー３６ａが設けられ、着信メロディ等を放音するようになされる。下部筐体１０には、バッテリー１６や回路基板１７等が設けられ、下部筐体１０の裏面にはカメラ３４が取り付けられている。
【００３２】
  上述の下部筐体１０に対して、回転レンジ機構１１によって可動自在に係合された上部筐体２０には、その表面の上方に通話用のスピーカー３６ｂが取り付けられ、受話器として機能するようになされる。上部筐体２０のスピーカー取り付け面の下方には、触覚機能付き入力装置９０が設けられる。
入力装置９０は、入力検出手段４５及び表示手段２９を有しており、表示画面上の入力検出面における操作体の押下操作に対して触覚を与えるものである。表示手段２９には、複数のボタンアイコン等の入力情報が表示される。
【００３３】
  図２は、触覚機能付きの入力装置９０の構成例を示す斜視図である。
図２に示す入力装置９０は、長さがＬｃｍ程度で、幅がＷｃｍ程度の入力手段２４と、この下方に、入力手段２４よりも一回り小さな液晶表示ディスプレイから成る表示手段２９とが積層され、更に、表示手段２９の周囲には、例えば、４個の力検出手段５５ａ〜５５ｄが取り付けられて構成され、当該入力検出面における操作体の押下位置の加圧力を検出すると共に、当該押下位置に表示された入力情報を入力する。
【００３４】
  
入力検出手段４５は、入力手段２４及び４個の力検出手段５５ａ〜５５ｄから構成される。
タンアイコンの選択位置を検出するようになされる。
入力手段２４には蓄積電極となる透明電極をマトリクス状に配置したタッチパネルが使用される。
【００３５】
  
力検出手段５５ａ〜５５ｄは、表示手段２９の同一平面の四隅に設けられ、当該入力検出面における操作体の押下位置の加圧力Ｆを検出する。
【００３６】
  
表示手段２９の周囲には、力検出手段５５ａ〜５５ｄの他に振動手段の一例となる４個のアクチュエータ２５ａ〜２５ｄが取り付けられ、表示手段２９に表示されるボタンアイコンの選択操作に基づいて表示画面を振動するようになされる。
【００３７】
  
アクチュエータ２５ａ〜２５ｄは、力検出手段５５ａ〜５５ｄによって検出された操作体の加圧力Ｆに対応する振動パターンに基づいて入力検出面を振動する。
【００３８】
  上述の入力手段２４、表示手段２９、４個のアクチュエータ２５ａ〜２５ｄ及び力検出手段５５ａ〜５５ｄには制御手段１５が接続される。制御手段１５には記憶手段３５が接続され、入力項目選択用の表示画面を、例えば、３次元的に表示するための表示データＤ４や、当該表示データＤ４に対応したアイコンの選択位置及び振動モードに関する制御情報Ｄｃ等が表示画面毎に記憶される。
【００３９】
  制御情報Ｄｃには、表示手段２９におけるアプリケーション（３次元的な表示や、各種表示内容）に同期した複数の異なった触覚を発生でき、その触覚を発生せしめる複数の具体的な振動波形、及び、アプリケーション毎の具体的な触覚発生モードを設定するアルゴリズムが含まれる。記憶手段３５には、ＥＥＰＲＯＭや、ＲＯＭ、ＲＡＭ等が使用される。
【００４０】
  この例で制御手段１５は、入力手段２４から出力される位置情報に基づいて表示手段２９の表示制御及びアクチュエータ２５ａ〜２５ｄの出力制御をする。例えば、制御手段１５は、入力手段２４から得られる位置検出信号Ｓ１及び力検出手段５５ａ〜５５ｄから得られる入力検出信号Ｓ２に基づいて記憶手段３５から制御情報Ｄｃを読み出してアクチュエータ２５ａ〜２５ｄに振動制御信号Ｓａ〜Ｓｄを供給する。
【００４１】
  また、制御手段１５は、表示画面中のボタンアイコンを奥行方向に遠近感を有して３次元的に表示するように表示手段２９を表示制御する。このように構成された入力装置９０は、例えば、入力項目選択用の表示画面に表示された複数のボタンアイコンの１つを押下（接触）して当該表示画面上で入力手段２４をＺ方向に押下すると触覚を伴って画面入力操作されるものである。
【００４２】
  図３Ａ及びＢは、アクチュエータ２５ａ〜２５ｄ、力検出手段５５ａ及び５５ｂ等の配置例を示す断面の構成図である。
  図３Ａに示す入力装置９０は、図２に示したように上部筐体２０において、入力手段２４、表示手段２９及び力検出手段５５ａ、５５ｂ、バックライト４９等から成る３層構造を有している。」（下線は当審にて付与、以下同様。）
　
ｆ．「【００５０】
  次に、触覚入力機能付きの携帯電話機１００の内部構成例及び感触フィードバック入力方法について説明をする。図６は、触覚入力機能付き携帯電話機１００の内部構成例を示すブロック図である。
  図６に示す携帯電話機１００は、下部筐体１０の回路基板１７に各機能のブロックを実装して構成される。なお、図１〜図５に示した各部及び手段と対応する部分は、同一符号で示している。携帯電話機１００は、制御手段１５、操作パネル１８、受信部２１、送信部２２、アンテナ共用器２３、入力検出手段４５、アクチュエータ２５ａ〜２５ｄ、表示手段２９、電源ユニット３３、カメラ３４及び記憶手段３５を有している。
【００５１】
  図６に示す入力検出手段４５は、図２では静電容量方式の入力デバイスを説明したが、カーソリングと選択の機能を区別できるものであれば何でも良く、例えば、抵抗膜方式、表面波弾性方式（ＳＡＷ）、光方式、複数段方式タクトスイッチ等の入力デバイスであっても良く、好ましくは位置情報と力情報を制御手段１５に与えられる構成の入力デバイスであれば良い。
上述の入力検出手段４５は操作者３０の指３０ａを介して少なくとも位置検出信号Ｓ１および入力量（押圧力；加圧力Ｆ）となる入力検出信号Ｓ２が入力される。
【００５２】
  
制御手段１５は、Ａ／Ｄドライバ３１、ＣＰＵ３２、画像処理部２６及びアクチュエータ駆動回路３７を有している。Ａ／Ｄドライバ３１には、入力検出手段４５からの位置検出信号Ｓ１および入力検出信号Ｓ２が供給される。Ａ／Ｄドライバ３１ではカーソリングとアイコン選択の機能を区別するために位置検出信号Ｓ１および入力検出信号Ｓ２よりなるアナログ信号をデジタルデータに変換する。
入力検出情報Ｄ２をＣＰＵ３２に供給する
【００５３】
  Ａ／Ｄドライバ３１にはＣＰＵ３２が接続される。ＣＰＵ３２はシステムプログラムに基づいて当該電話機全体を制御するようになされる。記憶手段３５には当該電話器全体を制御するためのシステムプログラムデータが格納される。図示しないＲＡＭはワークメモリとして使用される。ＣＰＵ３２は電源オンと共に、記憶手段３５からシステムプログラムデータを読み出してＲＡＭに展開し、当該システムを立ち上げて携帯電話機全体を制御するようになされる。例えば、ＣＰＵ３２は、Ａ／Ｄドライバ３１からの入力データＤ１〜Ｄ３を受けて所定の指令データＤを電源ユニット３３や、カメラ３４、記憶手段３５、アクチュエータ駆動部３７、映像＆音声処理部４４等のデバイスに供給したり、受信部２１からの受信データを取り込んだり、送信部２へ送信データを転送するように制御する。
【００５４】
  この例で、
ＣＰＵ３２は、入力検出手段４５から得られる入力検出情報Ｄ２と予め設定された押下判定閾値Ｆthとを比較
【００５５】
  
ＣＰＵ３２は、入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動するようにアクチュエータ駆動回路３７を制御する。このようにすると、操作者の指３０ａ等の”加圧力”に合わせた異なる振動パターンを発生させることができる。
　
　以上の記載によれば、引用例１には、次の発明（以下、「引用発明」という。）が記載されているものと認められる。  
 　 
「入力装置９０は、入力検出手段４５及び表示手段２９を有し、表示画面上の入力検出面における操作体の押下操作に対して触覚を与えるものであり、入力装置９０は、入力手段２４と、この下方に、入力手段２４よりも一回り小さな液晶表示ディスプレイから成る表示手段２９とが積層され、
　入力手段２４には蓄積電極となる透明電極をマトリクス状に配置したタッチパネルが使用され、
　力検出手段５５ａ〜５５ｄは、表示手段２９の同一平面の四隅に設けられ、当該入力検出面における操作体の押下位置の加圧力Ｆを検出し、
　表示手段２９の周囲には、力検出手段５５ａ〜５５ｄの他に振動手段の一例となる４個のアクチュエータ２５ａ〜２５ｄが取り付けられ、力検出手段５５ａ〜５５ｄによって検出された操作体の加圧力Ｆに対応する振動パターンに基づいて入力検出面を振動するものであり、
　入力検出手段４５は操作者３０の指３０ａを介して少なくとも位置検出信号Ｓ１および入力量（押圧力；加圧力Ｆ）となる入力検出信号Ｓ２が入力され、
　入力検出信号Ｓ２は、デジタルデータ（入力検出情報Ｄ２）に変換されてＣＰＵ３２に入力され、
　ＣＰＵ３２は、入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動するようにアクチュエータ駆動回路３７を制御することで、操作者の指３０ａ等の”加圧力”に合わせた異なる振動パターンを発生させることができ、表示手段上の入力検出面における操作体の押下操作に対応した確実な触覚を取得できるようになる電子機器の一例である携帯電話機１００。」
　
　
（２）原査定の拒絶の理由に引用された特開２００４−７１２３３号公（以下、「引用例２」という。）には、図面と共に、以下の事項が記載されている。
　
ａ．「【００１０】
更に、制御手段が、接触入力検知部で入力操作面における入力位置が検出された際に、操作メニューを構成する複数の操作項目のうち検出された入力位置と対応する位置に表示された操作項目を選択決定状態とし、
入力操作面における入力位置での所定値を超える圧力の印加状態が所定時間継続したら入力位置と対応する位置に表示された操作項目を選択確定状態とするもの
　
ｂ．「【００１９】
一方、接触入力検知部３として
タッチパネル
　
ｃ．「【００３５】
そして、制御部５は、ステップＳ１２での
サブ操作項目の選択の最中に、接触入力検知部３の入力操作面３ａ上の指１６の接触位置が所定時間移動していない（即ち、同一位置での接触入力検知部３への所定値を超える圧力の印加状態が所定時間継続している）かを判断
サブ操作項目が確定
【００３６】
こうして
サブ操作項目が確定された場合、制御部５は、振動部７に対して振動発生命令を出力
操作者は、接触入力検知部３の入力操作面３ａに接触している指１６から伝わるこの振動を感知して触感でサブ操作項目が確定されたことを確認することができる
　
　
４．対比  
　補正発明と引用発明との比較  
　引用発明の「入力手段２４」にはタッチパネルが使用されており、タッチパネルは操作者の指の接触、すなわちタッチにより入力を受け付けるものであるから、引用発明の「入力手段２４」は、補正発明の「入力を受け付けるタッチセンサ」に相当する。  
 　
　引用発明の「加圧力Ｆ」は、指などの操作体によって入力手段の入力検出面が受ける力であって、補正発明のタッチ面に対する「押圧荷重」相当する。
　引用発明の「力検出手段５５ａ〜５５ｄは」は、入力手段２４の下方に積層された表示手段の周囲に設けられて、入力手段２４の入力検出面における操作体の押下位置の加圧力Ｆを検出しているから、引用発明の「力検出手段５５ａ〜５５ｄは」は、補正発明の「タッチセンサのタッチ面に対する押圧荷重を検出する荷重検出部」に相当する。　  
 　
　引用発明の「アクチュエータ２５ａ〜２５ｄ」は、入力手段２４の入力検出面を振動させて操作者の指に触覚を与えているから、引用発明の「アクチュエータ２５ａ〜２５ｄ」は、補正発明の「タッチ面を振動させる触感呈示部」に相当する。　
 　
　引用発明の「ＣＰＵ３２」は、入力検出情報Ｄ２（加圧力）を入力し、入力検出情報Ｄ２が押下判定閾値Ｆthを越えるときに、触覚Ａを起動してアクチュエータ２５ａ〜２５ｄにより入力検出面を振動させ触覚を操作者の指に与えており、ＣＰＵ３２は、加圧力（押圧荷重）を検出し、その後に押下判定閾値Ｆthを越えることを判定しているから、引用発明の「ＣＰＵ」は、補正発明の「制御部」と、荷重検出部が押圧荷重を検出した後、所定の荷重基準を満たした際にタッチ面を押圧している押圧対象に対して触感を呈示するように触感呈示部を制御する点で共通している。 
　
　引用発明の電子機器の一例である携帯電話機１００の「触覚機能付きの入力装置」は、補正発明の「入力装置」に相当する。 
 　
　したがって、補正発明と引用発明の一致点・相違点は以下のとおりである。　
　
［一致点］　
　入力を受け付けるタッチセンサと、
　前記タッチセンサのタッチ面に対する押圧荷重を検出する荷重検出部と、
　前記タッチ面を振動させる触感呈示部と、
　前記荷重検出部により押圧荷重を検出した後、該検出される押圧荷重が所定の荷重基準を満たした際に、前記タッチ面を押圧している押圧対象に対して触感を呈示するように前記触感呈示部を制御する制御部と、
　を備える入力装置。
 　 
［相違点］
　補正発明では、制御部が触感を呈示するのが、押圧荷重を検出した後、検出される押圧荷重が所定の荷重基準を満たしてから所定期間経過した際であるのに対し、引用発明では、押圧荷重を検出した後、検出される押圧荷重が所定の荷重基準を満たした際であって、荷重基準を満たしてから所定期間経過した際である記載がない点で相違している。
 　 
５．相違点の検討　
　入力装置の技術分野において、一定期間押圧を続けることにより操作が確定する「長押し」、および、操作を受け付けると触覚で認知させる「触覚フィードバック」はいずれも周知技術である。（上記引用例２には、タッチパネルにおいて、所定値を超える押圧荷重を検出し、所定期間経過した際に入力操作が確定すること、および、入力操作が確定すると入力操作面に振動を与えて操作項目が確定したことを伝えることが記載されている。また、特開２００８−２４９６４８号公報にも段落００２０、００２５及び００２７を参照すれば、タッチ操作の検出から所定時間経過した際に操作を受け付けること、および、操作が受け付けられると触感を与えることが記載されている。）　
　したがって、引用発明の入力装置において、上記長押しおよび触覚フィードバックの周知技術を制御部に適用して、押圧荷重を検出した後、検出される押圧荷重が所定の荷重基準を満たしてから所定期間経過した際に触感を呈示する制御を行う構成とすることは当業者が容易に想到することができるものである。　
 　
　また、補正発明によってもたらされる効果は、引用発明及び周知技術から、当業者が予測し得る程度のものである。　
 　
　したがって、補正発明は、引用発明及び周知技術に基づいて当業者が容易発明をすることができたものであるから、特許法第２９条第２項の規定により特許出願の際に独立して特許を受けることができないものである。
 　 
６．まとめ　 
　したがって、本件補正は、特許法第１７条の２第６項において準用する同法第１２６条第５項の規定に違反するので、同法第１５９条第１項の規定において読み替えて準用する同法第５３条第１項の規定により却下すべきものである。　
　
第３．本願発明について
 　 
１．本願発明  
 　平成２２年１０月２７日付けの手続補正は上記のとおり却下されたので、本願の請求項１に係る発明（以下、「本願発明」という。）は、平成２１年８月２７日出願時の特許請求の範囲の請求項１に記載されたとおりのものである。
　 
２．引用例の記載事項
　原査定の拒絶の理由に引用された引用例、及びその記載事項は、前記「第２．３．」に記載したとおりである。
　
３．対比・判断
　本願発明は、前記第２．で検討した補正発明から限定事項を省いたものである。　
　そうすると、本願発明の構成要件をすべて含み、さらに他の限定を付加したものに相当する補正発明が、前記第２．５．に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　
４．むすび　
　以上のとおり、本願発明は、引用発明及び周知技術に基づいて、当業者が容易に発明をすることができたものであるから、特許法第２９条２項の規定により特許を受けることができない。
　したがって、その余の請求項について論及するまでもなく、本願は拒絶すべきものである。
　よって、結論のとおり審決する。